(57)【要約】【課題】ハンドルの複数箇所における握りやすさを同等程度に良好なものとすることが可能であって、電気掃除機の使用形態及び清掃箇所に応じてハンドルの適切な位置を使用者が手で握ることができ、ひいては、電気掃除機の使用時における使用者の身体への負荷の軽減及び操作性の向上を図ることが可能な電気掃除機を提供する。【解決手段】この発明に係る電気掃除機１００は、吸引風を生成するための電動送風機１２を有する掃除機本体１と、掃除機本体１に設けられたハンドル部５と、ハンドル部５において予め定められた移動可能範囲内の２以上の位置において固定可能なグリップ６と、を備える。【選択図】図１
2020065838.tif 000002
【特許請求の範囲】
【請求項１】
吸引風を生成するための電動送風機を有する掃除機本体と、
前記掃除機本体に設けられたハンドル部と、
前記ハンドル部において予め定められた移動可能範囲内の２以上の位置において固定可能なグリップと、を備えた電気掃除機。
【請求項２】
前記グリップは、前記移動可能範囲内の任意の位置で固定可能である請求項１に記載の電気掃除機。
【請求項３】
前記グリップは、前記ハンドル部から取り外し可能である請求項１又は請求項２に記載の電気掃除機。
【請求項４】
前記グリップは、軟質材からなる請求項１から請求項３のいずれか一項に記載の電気掃除機。
【請求項５】
前記移動可能範囲の少なくとも一部は、曲線状である請求項４に記載の電気掃除機。
【請求項６】
前記吸引風の風路に通じる孔が前記ハンドル部に形成され、
前記孔は、前記移動可能範囲内に固定された前記グリップにより塞がれることが可能な位置に配置される請求項１から請求項５のいずれか一項に記載の電気掃除機。
【請求項７】
前記孔を開閉する開閉手段をさらに備えた請求項６に記載の電気掃除機。
【請求項８】
前記グリップは、前記ハンドル部に沿った方向における一端側が細く、他端側が太い外形を有する請求項１から請求項７のいずれか一項に記載の電気掃除機。
【発明の詳細な説明】
【技術分野】
【０００１】
この発明は、電気掃除機に関するものである。
【背景技術】
【０００２】
吸引ホースを介して電気掃除機本体を移動させるとともに、延長管を介して吸口体の動作を制御する電気掃除機用の手元ハンドル部において、手元ハンドル部は延長管の上方に配置された棒状のグリップと、グリップと延長管とを連結する連結体とを備え、グリップは、２０ｃｍ以上３０ｃｍ以下の範囲の長さを備えるとともに、延長管の管軸に対して平行に設けられているものが知られている（例えば、特許文献１参照）。
【先行技術文献】
【特許文献】
【０００３】
【特許文献１】特開２０１２−２１０３００号公報
【発明の概要】
【発明が解決しようとする課題】
【０００４】
このように、特許文献１に示されるような電気掃除機では、グリップの長さを２０ｃｍ以上３０ｃｍ以下とすることで、電気掃除機の使用形態及び清掃箇所に応じて、例えば、床面上の清掃、高所（家具の上面等）の清掃、又は、低所の奥（家具と床面との隙間等）の清掃等に応じて、使用者が手で握るグリップの位置を変えることができる。
【０００５】
しかしながら、電気掃除機の使用形態等に応じて使用者が手で握る可能性がある全てのグリップの部分において、使用者にとって握りやすくすることは困難である。例えば、特許文献１に記載された電気掃除機では、グリップは、その太さが前方から後方に向けて徐々に太くなるようになっている。つまり、グリップの位置によって、その太さが異なる。このため、例えば、グリップの前方を握る場合は細過ぎて握り難かったり、逆にグリップの後方を握る場合は太過ぎて握り難かったりということが起こり得る。
【０００６】
この発明は、このような課題を解決するためになされたものである。その目的は、ハンドルの複数箇所における握りやすさを同等程度に良好なものとすることが可能であって、電気掃除機の使用形態及び清掃箇所に応じてハンドルの適切な位置を使用者が手で握ることができ、ひいては、電気掃除機の使用時における使用者の身体への負荷の軽減及び操作性の向上を図ることが可能である電気掃除機を提供することにある。
【課題を解決するための手段】
【０００７】
この発明に係る電気掃除機は、吸引風を生成するための電動送風機を有する掃除機本体と、前記掃除機本体に設けられたハンドル部と、前記ハンドル部において予め定められた移動可能範囲内の２以上の位置において固定可能なグリップと、を備える。
【発明の効果】
【０００８】
この発明に係る電気掃除機によれば、ハンドルの複数箇所における握りやすさを同等程度に良好なものとすることが可能であって、電気掃除機の使用形態及び清掃箇所に応じてハンドルの適切な位置を使用者が手で握ることができ、ひいては、電気掃除機の使用時における使用者の身体への負荷の軽減及び操作性の向上を図ることが可能であるという効果を奏する。
【図面の簡単な説明】
【０００９】
【図１】この発明の実施の形態１に係る電気掃除機の全体構成を模式的に示す図である。
【図２】この発明の実施の形態１に係る電気掃除機のハンドル部の要部を透視した拡大図である。
【図３】この発明の実施の形態１に係る電気掃除機のハンドル部の要部を透視した拡大図である。
【図４】この発明の実施の形態１に係る電気掃除機の全体構成の別例を模式的に示す図である。
【図５】この発明の実施の形態１に係る電気掃除機のハンドル部の別例の拡大図である。
【図６】この発明の実施の形態１に係る電気掃除機のハンドル部の別例の拡大図である。
【図７】この発明の実施の形態２に係る電気掃除機の掃除機本体の構成を模式的に示す図である。
【図８】この発明の実施の形態２に係る電気掃除機の掃除機本体の構成を模式的に示す図である。
【図９】この発明の実施の形態２に係る電気掃除機の掃除機本体の構成を模式的に示す図である。
【図１０】この発明の実施の形態２に係る電気掃除機の掃除機本体の構成を模式的に示す図である。
【図１１】この発明の実施の形態２に係る電気掃除機の使用例を示す図である。
【図１２】この発明の実施の形態３に係る電気掃除機の全体構成を模式的に示す図である。
【発明を実施するための形態】
【００１０】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１１】
実施の形態１．
図１から図６は、この発明の実施の形態１に係るものである。図１は電気掃除機の全体構成を模式的に示す図である。図２及び図３は電気掃除機のハンドル部の要部を透視した拡大図である。図４は電気掃除機の全体構成の別例を模式的に示す図である。そして、図５及び図６は電気掃除機のハンドル部の別例の拡大図である。
【００１２】
以下の説明では、塵埃及びその他のゴミを総称して単に「塵埃」と呼ぶ場合がある。また、塵埃が混じった空気を「含塵空気」と呼ぶ場合がある。そして、塵埃が取り除かれた空気を「清浄空気」と呼ぶ場合がある
【００１３】
この実施の形態に係る電気掃除機１００は、コードレスタイプの縦型電気掃除機である。図１に示すように、電気掃除機１００は、主な構成要素として、掃除機本体１、延長管２及び吸込具３を備えている。
【００１４】
掃除機本体１には、電動送風機１２が内蔵されている。電動送風機１２は電気掃除機１００の吸引風を生成するためのものである。掃除機本体１には、図示しないバッテリ及び制御装置も内蔵されている。バッテリは、電動送風機１２を駆動するための二次電池である。制御装置は、電動送風機１２の動作を制御するための回路等を備えている。
【００１５】
掃除機本体１は、集塵部１３を備えている。集塵部１３は、電動送風機１２が生成した吸引風により掃除機本体１に吸い込んだ含塵空気中の塵埃を捕集するためのものである。集塵部１３は、掃除機本体１に対し着脱可能に取り付けられている。この実施の形態に係る集塵部１３は、サイクロン分離装置及び集塵室を備えている。サイクロン分離装置は、電動送風機１２が生成した空気流により含塵空気を内部で旋回させて含塵空気から塵埃を分離する。サイクロン分離装置で分離された塵埃は、集塵室に捕集されて蓄積される。
【００１６】
延長管２は、直線状の外形を有する中空管状の部材である。延長管２の一端側は、掃除機本体１の一端側と着脱可能に連結される。なお、この掃除機本体１の一端側、すなわち、掃除機本体１における延長管２が連結される側に、集塵部１３が配置されている。延長管２の他端側は、吸込具３と着脱可能に連結される。吸込具３は、被清掃面を清掃するためのものである。吸込具３の底面には、図示しない吸込口が形成されている。
【００１７】
図１に示す状態に掃除機本体１、延長管２及び吸込具３を接続すると、吸込具３の吸込口から延長管２を介して掃除機本体１の集塵部１３にまで至る吸気風路が形成される。掃除機本体１の内部には、排気風路が形成されている。排気風路は、集塵部１３を通過した空気を掃除機本体１の外部に排出するための風路である。掃除機本体１には図示しない排気口が形成されている。排気風路は排気口に通じている。
【００１８】
電動送風機１２は、操作部１１に対する操作に応じて駆動する。操作部１１は、後述するように掃除機本体１の支持部４に設けられている。電動送風機１２が駆動すると、前述した吸気風路内に吸引風が生成される。そして、吸気風路内に作用する吸引力により、吸込具３の吸込口から含塵空気が吸い込まれる。吸込口に吸い込まれた含塵空気は、吸込具３から延長管２の内部を通過して集塵部１３の内部に取り込まれる。集塵部１３では、サイクロン分離装置により含塵空気から塵埃が分離され、清浄空気として排出される。集塵部１３から排出された清浄空気は、電動送風機１２を通過する。電動送風機１２を通過した清浄空気は、前述の排気風路を通り、排気口から掃除機本体１の外部へ排出される。
【００１９】
掃除機本体１には、ハンドル部５が設けられている。ハンドル部５には、グリップ６が取り付けられている。グリップ６は貫通孔が形成された筒状を呈する。そして、グリップ６は貫通孔内にハンドル部５が通されている。グリップ６の貫通孔の内径は、ハンドル部５の外径よりも大きい。電気掃除機１００の使用者は、ハンドル部５に取り付けられたグリップ６を手で握ることで、掃除機本体１を手で支え持つことができる。なお、ハンドル部５を直接に手で握ることもできるが、原則としてはグリップ６を使用して握るのがよい。
【００２０】
ハンドル部５の一端側は、掃除機本体１の側面から突出した支持部４に接続されている。ハンドル部５は、まず、支持部４から掃除機本体１の側面に沿い、掃除機本体１の集塵部１３とは反対側に向かって直線状に延びている。そして、ハンドル部５の中間部は、掃除機本体１の集塵部１３とは反対側に回り込むようにＵ字状に湾曲して配置されている。ハンドル部５の他端側は、掃除機本体１の集塵部１３とは反対側の端面に接続されている。ハンドル部５と、掃除機本体１との間には、空間が形成されている。ハンドル部５又はグリップ６を握った手の指が、この空間に挿入可能である。
【００２１】
グリップ６は、ハンドル部５における移動可能範囲内で移動可能である。この移動可能範囲は、予め定められる。ここで説明する構成例では、移動可能範囲は、ハンドル部５の一端から他端までの全域である。なお、移動可能範囲をハンドル部５の全域でなく一部としてもよい。
【００２２】
ここで説明する構成例では、移動可能範囲の少なくとも一部は、前述したようにＵ字状に湾曲した曲線状である。グリップ６は、軟質材からなり、変形可能である。このため、移動可能範囲の一部が曲線状であっても、この曲線の形状に合わせてグリップ６が変形することで、グリップ６を移動可能範囲内の全ての箇所に配置できる。
【００２３】
また、グリップ６を軟質材で構成することで、グリップ６を握る際に適度なクッション性が得られ、握りやすくすることができる。また、使用者の手、指の形に合わせた形にグリップ６が変形し、手とグリップ６との接触面積が大きくなるため、使用者の手に掛かる負担を手のひら全体に分散させることができる。よって、このため、電気掃除機１００の使用時における使用者の身体への負荷の軽減及び操作性の向上を図ることが可能である。
【００２４】
グリップ６を構成する軟質材は、具体的に例えば、ゴム、樹脂（ポリウレタン、ポリスチレン等）、油脂（油粘土等）、熱可塑性エラストマー（ジェル等）、あるいは、これらのうちの２以上の素材を複合したものである。
【００２５】
図２及び図３に示すように、グリップ６には、グリップ固定ボタン７及びグリップ固定部材７ａが設けられている。グリップ固定ボタン７は、グリップ６の外側から操作可能に設けられている。グリップ固定ボタン７は、例えば押しボタンである。グリップ固定部材７ａは、グリップ６の内側に突出可能なように設けられている。例えば、グリップ固定部材７ａは図示しないばね等の弾性体によりグリップ６の内側に向けて押されている。
【００２６】
グリップ固定ボタン７を操作することで、グリップ固定部材７ａの突出量を変更できる。例えば、グリップ固定ボタン７を押し込んだ状態では、図２に示すように、グリップ固定部材７ａは、グリップ６の内側に突出しない。この状態では、グリップ固定部材７ａは、ハンドル部５に接触していない。したがって、グリップ６は、ハンドル部５に対して固定されず、前述した移動可能範囲内において移動させることができる。
【００２７】
これに対し、グリップ固定ボタン７を押さない状態では、図３に示すように、グリップ固定部材７ａがグリップ６の内側に突出する。この状態では、グリップ固定部材７ａは、前述の弾性体によってハンドル部５に押し付けられる。したがって、グリップ６は、グリップ固定部材７ａとハンドル部５との間に働く摩擦力によって、ハンドル部５に対して固定される。
【００２８】
このようにして、グリップ６は、ハンドル部５における前述の移動可能範囲内の２以上の位置において固定可能である。ここで説明する構成例では、グリップ６は、前述した移動可能範囲内の任意の位置で固定可能である。
【００２９】
このため、以上のように構成された電気掃除機１００によれば、ハンドル部５における手で握りたい位置にグリップ６を移動させて固定することで、ハンドル部５の複数箇所において同じグリップ６を握ることができる。したがって、ハンドル部５の複数箇所における握りやすさを同等程度に良好なものとすることが可能であって、電気掃除機の使用形態及び清掃箇所に応じてハンドルの適切な位置を使用者が手で握ることができる。そして、ひいては、電気掃除機の使用時における使用者の身体への負荷の軽減及び操作性の向上を図ることが可能である。
【００３０】
なお、変形例として、グリップ固定ボタン７を押し込むことで、グリップ固定部材７ａがグリップ６の内側に突出してハンドル部５に対して固定されるようにしてもよい。この場合、グリップ固定ボタン７を押さない状態でハンドル部５に対するグリップ６の固定が解除される。
【００３１】
また、他の変形例として、例えば溝のような凹部を連続的に並べて、鋸歯状の凹凸をハンドル部５に形成してもよい。そして、グリップ６の内側に突出したグリップ固定部材７ａがハンドル部５の凹部に係合できるようにする。このようにすることで、グリップ固定部材７ａがハンドル部５の凹部に掛かり、より強固にグリップ６を固定できる。なお、鋸歯状の連続した凹凸でなく、グリップ６を固定可能としたい位置に応じた間隔をあけて凹部を配置してもよい。
【００３２】
この実施の形態の電気掃除機においては、図１から図３に示すように、グリップ６は、ハンドル部５に沿った方向における一端側が細く、他端側が太い外形を有する。人の手を自然に握った状態では、親指と人差し指の側が狭く、小指側が広くなる。このような人間工学的な事情を考慮して、グリップ６を一端側が細く他端側が太い外形とすることで、手とグリップ６との接触面積を大きくし、使用者の手に掛かる負担を手のひら全体に分散させることができる。よって、電気掃除機１００の使用時における使用者の身体への負荷の軽減及び操作性のさらなる向上を図ることが可能である。
【００３３】
なお、図１に示すように、操作部１１をグリップ６に設けるようにしてもよい。このようにすることで、グリップ６がハンドル部５のどの位置にあっても、容易に操作部１１を操作でき、操作性を向上できる。なお、グリップ６がハンドル部５に固定される位置は変更可能であることから、操作部１１と掃除機本体１の制御装置との間での信号通信方式は、無線方式とすることが好ましい。
【００３４】
次に、図４から図６を参照しながら、この実施の形態の電気掃除機１００の別例について説明する。これらの図に示すように、グリップ６の一端側には、摘み部１０が設けられている。また、図５及び図６に示すように、この別例では、グリップ６は、上側グリップ６ａと下側グリップ６ｂとに分割されている。
【００３５】
上側グリップ６ａと下側グリップ６ｂとは、摘み部１０が設けられた側において、軸１０ａを介して接続されている。上側グリップ６ａと下側グリップ６ｂとは、軸１０ａを中心にして開閉可能である。グリップ６は図示しないばねを備えている。このばねにより、上側グリップ６ａと下側グリップ６ｂは、閉じる方向に付勢されている。図５に示す上側グリップ６ａと下側グリップ６ｂとが閉じた状態では、上側グリップ６ａと下側グリップ６ｂとによりハンドル部５を締め付けることにより、グリップ６がハンドル部５に対して固定される。
【００３６】
上側グリップ６ａと下側グリップ６ｂとの両方の摘み部１０を、互いに近づけるように同時に摘むと、てこの原理によって、ばねの付勢力に抗して上側グリップ６ａと下側グリップ６ｂとを開くことができる。図６に示す上側グリップ６ａと下側グリップ６ｂとが開いた状態では、上側グリップ６ａと下側グリップ６ｂでハンドル部５を締め付けなくなり、グリップ６のハンドル部５に対する固定が解除される。グリップ６の固定が解除された状態では、ハンドル部５における前述した移動可能範囲内でグリップ６を移動させることができる。
【００３７】
以上のように構成された電気掃除機１００の別例によっても、上側グリップ６ａと下側グリップ６ｂとに分割されたグリップ６を開閉させることで、グリップ６を、ハンドル部５における前述の移動可能範囲内の２以上の位置において固定できる。このため、ハンドル部５の複数箇所において同じグリップ６を握ることができる。したがって、ハンドル部５の複数箇所における握りやすさを同等程度に良好なものとすることが可能であって、電気掃除機の使用形態及び清掃箇所に応じてハンドルの適切な位置を使用者が手で握ることができる。そして、ひいては、電気掃除機の使用時における使用者の身体への負荷の軽減及び操作性の向上を図ることが可能である。
【００３８】
実施の形態２．
図７から図１１は、この発明の実施の形態２に係るものである。図７から図１０は電気掃除機の掃除機本体の構成を模式的に示す図である。そして、図１１は電気掃除機の使用例を示す図である。
【００３９】
ここで説明する実施の形態２は、前述した実施の形態１の構成において、グリップをハンドル部から取り外せるようにしたものである。以下、この実施の形態２に係る電気掃除機について、実施の形態１との相違点を中心に説明する。説明を省略した構成については実施の形態１と基本的に同様である。
【００４０】
この実施の形態に係る電気掃除機１００について、２つの構成例を挙げながら説明する。まず、図７及び図８を参照しながら、この実施の形態の電気掃除機１００の第１の構成例を説明する。この第１の構成例では、これらの図に示すように、ハンドル部５に、ハンドル接続部５ａとハンドル回転部５ｂとが設けられている。ハンドル部５は、ハンドル接続部５ａで分割されている。ハンドル接続部５ａは、ハンドル部５における支持部４寄りの中途部分に設けられている。ハンドル回転部５ｂは、ハンドル部５における支持部４とは反対側の端部に設けられている。ハンドル部５は、ハンドル回転部５ｂを軸にして掃除機本体１に対して回転可能である。
【００４１】
ハンドル部５には、ハンドル部固定ボタン８及びハンドル部固定体８ａが設けられている。ハンドル部固定体８ａは、ハンドル接続部５ａにおける一方の分割面から、他方の分割面に向けて突出している。ハンドル接続部５ａにおける他方の分割面には、突出したハンドル部固定体８ａを挿入可能な凹部が形成されている。
【００４２】
ハンドル部固定ボタン８を操作しない状態では、ハンドル部固定体８ａが突出した状態で固定される。したがって、突出したハンドル部固定体８ａがハンドル接続部５ａの分割面の凹部に挿入された状態で固定することで、分割されたハンドル部５は、ハンドル接続部５ａにおいてハンドル部固定体８ａにより接続・固定され、図７に示す状態となる。この状態では、ハンドル部５は回転できない。
【００４３】
ハンドル部固定ボタン８を押すと、ハンドル部固定体８ａの固定が解除され、ハンドル部固定体８ａがハンドル接続部５ａの一方の分割面より奥に引っ込むことができるようになる。このため、分割されたハンドル部５のハンドル接続部５ａにおける接続・固定が解除され、図８に示すように、ハンドル回転部５ｂを軸にしてハンドル部５を回転できる。したがって、ハンドル部５を回転して、ハンドル接続部５ａでハンドル部５が分割された状態にすることで、グリップ６をハンドル接続部５ａから取り外すことができる。このようにして、グリップ６は、ハンドル部５から取り外し可能である。
【００４４】
次に、図９及び図１０を参照しながら、この実施の形態の電気掃除機１００の第２の構成例を説明する。第２の構成例は、ハンドル接続部５ａが、ハンドル部５における支持部４側の端部に設けられている点が前述した第１の構成例と異なる。他の部分は第１の構成例と同じである。この第２の構成例では、ハンドル部５の支持部４側の端部にハンドル部固定体８ａが設けられている。そして、支持部４のハンドル部５に対向する面に、突出したハンドル部固定体８ａを挿入可能な凹部が形成されている。この第２の構成例では、ハンドル部５の全体が掃除機本体１に対して回転可能である。
【００４５】
この第２の構成例でも、ハンドル部固定ボタン８を操作しない状態では、図９に示すように、ハンドル部５が回転しないように、ハンドル接続部５ａにおいてハンドル部固定体８ａにより接続・固定できる。そして、ハンドル部固定ボタン８を押すと、ハンドル部５のハンドル接続部５ａにおける接続・固定が解除され、図１０に示すように、ハンドル回転部５ｂを軸にしてハンドル部５を回転できる。したがって、ハンドル部５を回転して、ハンドル接続部５ａでハンドル部５が分割された状態することで、グリップ６をハンドル接続部５ａから取り外すことができる。このようにして、グリップ６は、ハンドル部５から取り外し可能である。
【００４６】
以上のように構成された電気掃除機１００においても、実施の形態１と同様の効果を奏することができる。さらに、グリップ６をハンドル部５から取り外せるようにすることで、グリップ６が不要な場合には、グリップ６を取り外して使用できる。また、汚れたグリップ６を取り外してメンテナンス等を容易にできる。さらに、グリップ６を容易に交換できる。したがって、電気掃除機の使用形態及び清掃箇所に応じて、大きさ、形状等が異なる複数種類のグリップ６を使い分けることも容易にできる。
【００４７】
また、前述したように、グリップ６は一端側が細く他端側が太い外形を有する。グリップ６を取り外せるようにすることで、グリップ６の向きを容易に変えることができる。例えば、家具の上面等の高所を掃除する場合、使用者は、図１１に示すように、吸込具３側を上に、掃除機本体１側を下にして電気掃除機１００を支持することになる。この際、同図に示すように、グリップ６の太い側が上になるような向きに取り付けることで、グリップ６の太い部分が手の親指及び人差し指側に引っ掛かり、電気掃除機１００をより確実に支持できる。
【００４８】
実施の形態３．
図１２は、この発明の実施の形態３に係るもので、電気掃除機の全体構成を模式的に示す図である。
【００４９】
ここで説明する実施の形態３は、前述した実施の形態１又は実施の形態２の構成において、ハンドル部に吸引風の風路に通じる孔を形成し、この孔をグリップにより覆うことができるようにしたものである。以下、この実施の形態３に係る電気掃除機について、実施の形態１の構成を元にした場合を例に挙げ、実施の形態１との相違点を中心に説明する。説明を省略した構成については実施の形態１又は実施の形態２と基本的に同様である。
【００５０】
この実施の形態に係る電気掃除機１００においては、図１２に示すように、ハンドル部５に孔９が形成されている。孔９は１以上設けられる。同図の構成例では、孔９が５個設けられている。それぞれの孔９は、掃除機本体１内において、前述した吸気風路に通じている。すなわち、それぞれの孔９は、電動送風機１２により生成される吸引風の風路に通じている。
【００５１】
これらの孔９は、前述した移動可能範囲内に固定されたグリップ６により塞がれることが可能な位置に配置されている。図１２の構成例では、５個の孔９が、ほぼ等間隔でハンドル部５に沿って配置されている。隣合う孔９同士の間隔は、グリップ６の長さよりも短い。このため、前述した移動可能範囲内のどの位置にグリップ６があっても、これらの孔９のうちの少なくともいずれかが、グリップ６により塞がれる。
【００５２】
以上のように構成された電気掃除機１００においても、実施の形態１又は実施の形態２と同様の効果を奏することができる。さらに、掃除機本体１の使用中は電動送風機１２により前述した吸気風路内に吸引風が生成される。孔９は吸気風路に通じているため、吸気風路内に生じた吸引力により、グリップ６は孔９に吸い付けられる。このために、グリップ６がハンドル部５により強固に固定され、使用中に掛かる強い力によりグリップ６が移動してしまうことを抑制できる。
【００５３】
なお、孔９を開閉する開閉手段を備えるようにしてもよい。開閉手段として例えば孔９を開閉する弁を設けることが考えられる。開閉手段は、孔９の上にグリップ６が重なっていない場合に、当該孔９を閉じる。そして、孔９の上にグリップ６が重なっている場合に、開閉手段は当該孔９を開く。
【００５４】
図１２に示す構成例では、その上にグリップ６が重ならないような孔９が必ず存在する。孔９がグリップ６により塞がれないと、吸気風路に無用な破れが生じ、吸込具３の吸込口から吸引される風量が減少してしまう。そこで、前述のような開閉手段を設けることにより、グリップ６により塞ぐことができない孔９を閉じることができるため、吸込口における吸引力の低減を抑制することが可能である。
【００５５】
ただし、前述の移動可能範囲内のどの位置にグリップ６がある場合でも、必ずグリップ６により塞がれるような箇所だけに、孔９を形成してもよい。具体的に例えば、グリップ６の長さが前述の移動可能範囲の長さの半分以上ある場合、移動可能範囲の丁度中央にだけ孔９を形成する。このようにすれば、グリップ６が移動可能範囲のどの位置にあっても、孔９をグリップ６で塞ぐことができる。
【００５６】
なお、以上においては、コードレスタイプの縦型電気掃除機（いわゆるスティックタイプの電気掃除機）の構成例について説明したが、電気掃除機１００はキャニスタータイプであっても構わない。電気掃除機１００がキャニスタータイプの場合、掃除機本体１に設けられたホース部に形成されたハンドル部５に、グリップ６が取り付けられる。そして、
ハンドル部５及びグリップ６は、以上で説明した実施の形態１から実施の形態３のいずれかの構成を有するようにすればよい。
【符号の説明】
【００５７】
１    掃除機本体
２    延長管
３    吸込具
４    支持部
５    ハンドル部
５ａ  ハンドル接続部
５ｂ  ハンドル回転部
６    グリップ
６ａ  上側グリップ
６ｂ  下側グリップ
７    グリップ固定ボタン
７ａ  グリップ固定部材
８    ハンドル部固定ボタン
８ａ  ハンドル部固定体
９    孔
１０    摘み部
１０ａ  軸
１１    操作部
１２    電動送風機
１３    集塵部
１００    電気掃除機
【図１】
2020065838.tif 000003
【図２】
2020065838.tif 000004
【図３】
2020065838.tif 000005
【図４】
2020065838.tif 000006
【図５】
2020065838.tif 000007
【図６】
2020065838.tif 000008
【図７】
2020065838.tif 000009
【図８】
2020065838.tif 000010
【図９】
2020065838.tif 000011
【図１０】
2020065838.tif 000012
【図１１】
2020065838.tif 000013
【図１２】
2020065838.tif 000014